(57)【要約】【課題】夜間から早朝にかけての時間帯などに、異常を早期に検出することのできる警報器を得る。【解決手段】監視領域の火災を検出する火災検出部５と、火災検出部５から出力される検出信号を所定のサンプリング周期で取り込み、取り込んだ検出信号の値が、所定の蓄積時間が経過するまでの間連続的に異常閾値以上である場合に、異常が発生していると判断して異常警報を出力させる制御部（マイコン１０）と、時計部１２と、を備え、制御部（マイコン１０）は、時計部１２が示す時刻が、予め設定された早期異常検出時間帯内であれば、早期異常検出時間帯外よりも、所定の蓄積時間を短く設定する。【選択図】図６
2010224854.tif 000002
【特許請求の範囲】
【請求項１】
監視領域の異常を検出する異常検出部と、
前記異常検出部から出力される検出信号を所定のサンプリング周期で取り込み、取り込んだ検出信号の値が、所定の蓄積時間が経過するまでの間連続的に異常閾値以上である場合に、異常が発生していると判断して異常警報を出力させる制御部と、
時計手段と、を備え、
前記制御部は、
前記時計手段が示す時刻が、予め設定された早期異常検出時間帯内であれば、早期異常検出時間帯外よりも、前記所定の蓄積時間を短く設定する
ことを特徴とする警報器。
【請求項２】
前記制御部は、前記取り込んだ検出信号の値が前記異常閾値以上となった後は、検出信号を取り込むサンプリング周期を、前記所定のサンプリング周期よりも短く設定する
ことを特徴とする請求項１記載の警報器。
【請求項３】
監視領域の異常を検出する異常検出部と、
前記異常検出部から出力される検出信号を所定のサンプリング周期で取り込み、取り込んだ検出信号の値が、異常閾値以上である場合に、異常が発生していると判断して異常警報を出力させる制御部と、
時計手段と、を備え、
前記制御部は、
前記時計手段が示す時刻が、予め設定された早期異常検出時間帯内であれば、早期異常検出時間帯外よりも、前記検出信号を取り込むサンプリング周期を短く設定する
ことを特徴とする警報器。
【請求項４】
前記制御部は、前記取り込んだ検出信号の値が、所定の蓄積時間が経過するまでの間連続的に異常閾値以上である場合に、異常が発生していると判断して異常警報を出力させるものであり、
前記制御部は、前記取り込んだ検出信号の値が前記異常閾値以上となった後は、検出信号を取り込むサンプリング周期を、前記早期異常検出時間帯内におけるサンプリング周期よりも短く設定する
ことを特徴とする請求項３記載の警報器。
【請求項５】
前記早期異常検出時間帯を設定する設定部を備えた
ことを特徴とする請求項１〜請求項４のいずれか記載の警報器。
【請求項６】
外部機器へ移報信号を出力する移報回路と、
前記時計手段が示す時刻が、予め設定された早期異常検出時間帯内であるときに、前記異常が発生していると判断された場合には、前記移報回路から移報信号を出力させる移報制御手段と、を備えた
ことを特徴とする請求項１〜請求項５のいずれか記載の警報器。
【発明の詳細な説明】
【技術分野】
【０００１】
本発明は、警報器に関する。
【背景技術】
【０００２】
従来から、警報器の一例として、例えば火災などの監視領域の異常を検出して警報音を鳴動する火災警報器が利用されている。このような火災警報器のうち煙を検出するものにおいて、「発光素子４を間欠的に発光駆動」し、「受光素子５は発光素子４との間を煙が通過することにより生ずる散乱光を受光」して、「受光素子５より出力される信号を入力し、この信号のレベルと予め設定された火災判断レベルと比較」することにより火災検出を行うものがある（例えば、特許文献１参照）。
【先行技術文献】
【特許文献】
【０００３】
【特許文献１】実開平０５−０９２８９２号公報（第８頁、図３）
【発明の概要】
【発明が解決しようとする課題】
【０００４】
上記特許文献１に記載の技術のように、所定のサンプリング周期で間欠的に異常検出部の検出信号を取り込んで異常の有無を判断する警報器においては、検出信号が所定時間以上連続して異常閾値を超えた場合に、異常と判断するものがある。このようにすることで、判断に誤りが生じるのを抑制している。
【０００５】
ところで、異常を検出して警報がなされたときには、ユーザーは迅速に避難等を行う必要があるが、就寝時間帯は昼間の時間帯よりも警報を認識するまでに時間がかかる。このため、就寝時間帯においては昼間の時間帯と比べて避難行動に遅れが生じるおそれがあり、なるべく早期に異常を検出することが望まれる。
【０００６】
本発明は上記のような課題を解決するためになされたものであり、例えば夜間から早朝にかけての時間帯などに、異常を早期に検出することのできる警報器を提供するものである。
【課題を解決するための手段】
【０００７】
本発明に係る警報器は、監視領域の異常を検出する異常検出部と、前記異常検出部から出力される検出信号を所定のサンプリング周期で取り込み、取り込んだ検出信号の値が、所定の蓄積時間が経過するまでの間連続的に異常閾値以上である場合に、異常が発生していると判断して異常警報を出力させる制御部と、時計手段と、を備え、前記制御部は、前記時計手段が示す時刻が、予め設定された早期異常検出時間帯内であれば、早期異常検出時間帯外よりも、前記所定の蓄積時間を短く設定するものである。
【０００８】
また、前記制御部は、前記取り込んだ検出信号の値が前記異常閾値以上となった後は、検出信号を取り込むサンプリング周期を、前記所定のサンプリング周期よりも短く設定するものである。
【０００９】
また、監視領域の異常を検出する異常検出部と、前記異常検出部から出力される検出信号を所定のサンプリング周期で取り込み、取り込んだ検出信号の値が、異常閾値以上である場合に、異常が発生していると判断して異常警報を出力させる制御部と、時計手段と、を備え、前記制御部は、前記時計手段が示す時刻が、予め設定された早期異常検出時間帯内であれば、早期異常検出時間帯外よりも、前記検出信号を取り込むサンプリング周期を短く設定するものである。
【００１０】
また、前記制御部は、前記取り込んだ検出信号の値が、所定の蓄積時間が経過するまでの間連続的に異常閾値以上である場合に、異常が発生していると判断して異常警報を出力させるものであり、前記制御部は、前記取り込んだ検出信号の値が前記異常閾値以上となった後は、検出信号を取り込むサンプリング周期を、前記早期異常検出時間帯内におけるサンプリング周期よりも短く設定するものである。
【００１１】
また、本発明に係る警報器は、前記早期異常検出時間帯を設定する設定部を備えたものである。
【００１２】
また、本発明に係る警報器は、外部機器へ移報信号を出力する移報回路と、前記時計手段が示す時刻が、予め設定された早期異常検出時間帯内であるときに、前記異常が発生していると判断された場合には、前記移報回路から移報信号を出力させる移報制御手段と、を備えたものである。
【発明の効果】
【００１３】
本発明においては、時刻が、予め設定された早期異常検出時間帯内であれば、異常が発生していると判断して異常警報を出力させるまでの蓄積時間を短く設定する。このため、例えば就寝時間帯などを早期異常検出時間帯に設定すれば、その間はより早く火災を検出することができる。
【００１４】
また、本発明においては、時刻が、予め設定された早期異常検出時間帯内であれば、早期異常検出時間帯外よりも検出信号を取り込むサンプリング周期を短く設定する。このため、例えば就寝時間帯などを早期異常検出時間帯に設定すれば、その間はより早く火災を検出することができる。
【００１５】
また、取り込んだ検出信号の値が異常閾値以上となった後は、検出信号を取り込むサンプリング周期を短く設定する。このため、異常が発生しているか否かの判断を、精度よく行うことができる。
【００１６】
また、早期異常検出時間帯を設定する設定部を設けたので、ユーザーの生活スタイルに合わせて、早期異常検出時間帯を任意に設定することができる。
【００１７】
また、時刻が、予め設定された早期異常検出時間帯内であるときに、異常が発生していると判断された場合には、移報回路から移報信号を出力させる。このため、移報信号を受信した外部機器などと連動して異常に対する適切な対応を行うことができる。
【図面の簡単な説明】
【００１８】
【図１】本発明の実施の形態１に係る火災警報器の内部回路を示す回路構成図である。
【図２】実施の形態１に係る火災警報器のメイン動作を示すフローチャートである。
【図３】実施の形態１に係る火災警報器の蓄積回数設定動作を示すフローチャートである。
【図４】実施の形態１に係る火災警報器の火災監視動作を示すフローチャートである。
【図５】実施の形態１に係る火災警報器の火災出力動作を示すフローチャートである。
【図６】実施の形態１に係る火災警報器の火災検出のサンプリング動作を説明する図である。
【図７】実施の形態２に係る火災警報器のメイン動作を示すフローチャートである。
【図８】実施の形態２に係る火災警報器の平常時用サンプリング周期設定の動作を説明するフローチャートである。
【図９】実施の形態２に係る火災警報器の火災検出のサンプリング動作を説明する図である。
【発明を実施するための形態】
【００１９】
実施の形態１．
警報器には、火災警報器やガス漏れ警報器など、様々なものが存在する。また、火災警報器にも、発光素子及び受光素子によって煙を検出する火災警報器、感熱素子によって熱を検出する火災警報器、及び焦電素子により炎を検出する火災警報器等、様々な火災警報器が存在する。本実施の形態では、感熱素子であるサーミスタによって熱を検出する火災警報器に本発明を適用した場合を例に説明する。
【００２０】
図１は、本実施の形態１に係る火災警報器１００の主要な内部回路を示す回路構成図である。火災警報器１００は、電池１、電源監視回路２、火災検出部５、制御部であるマイクロコンピューター１０（以下、マイコン１０という）、音声警報を行う警報部２３、外部機器２００へ移報信号を出力する移報回路２０を主要構成要素とする。
【００２１】
（マイコン）
マイコン１０は、各種フラグやデータを格納する記憶部１１と、時計部１２と、設定部１３と、音声データメモリ１４とを備える。マイコン１０は、ＲＯＭ（図示せず）に記憶された制御プログラムに従って、ＣＰＵ（図示せず）により火災警報器１００の各種動作を制御する。
【００２２】
記憶部１１は、例えばＥＥＰＲＯＭなどの書き換え可能な不揮発性メモリで構成される。記憶部１１は、火災が検出されたらセットされる火災フラグ１１ａ、夜間時間帯１１ｂ、規定蓄積回数Ｍ１１ｃを格納する。夜間時間帯１１ｂは、火災の発生をより早期に検出する時間帯であり、本発明の早期異常検出時間帯に相当する。なお、以降の説明において、夜間時間帯以外の時間帯を、昼間時間帯と称するものとする。また、規定蓄積回数Ｍ１１ｃについては後述する。
【００２３】
時計部１２は、時刻を計る計時装置であり、現在時刻を保持している。なお、時計部１２としては標準電波を受信する電波時計を用いることもでき、このようにすることで正確な時刻を計ることができる。
【００２４】
設定部１３は、夜間時間帯を設定する回路である。設定部１３は、火災警報器１００の筐体に設けられた設定スイッチ（図示せず）に接続されており、この設定スイッチへの入力に応じて夜間時間帯を設定する。夜間時間帯は、開始時刻（例えば、２３：００）と終了時刻（例えば、０６：００）を指定することによって設定することができる。あるいは、開始時刻（例えば、２３：００）と終了までの時間（例えば、７時間）を指定するようにしてもよい。
また、設定スイッチとしては、例えば、「時」「分」をそれぞれ設定可能なＤＩＰスイッチを、火災警報器１００の筐体のユーザーが操作可能な位置に設けることができる。
【００２５】
音声データメモリ１４は、警報部２３から出力する音声データを格納するメモリであり、ＲＯＭで構成される。音声データメモリ１４には、火災警報器１００が火災を検出した際に出力する火災音声の音声データが格納されている。
【００２６】
（電池）
例えばリチウム電池である電池１は、定電圧回路４を介してマイコン１０等に常時電力を供給する電源である。電池１は、定電圧回路４を介することにより、マイコン１０等に安定した電力を供給することができる。
【００２７】
（電圧低下検出手段）
火災警報器１００は、電池１の電圧低下監視を行う。具体的には、マイコン１０がスイッチ３をＯＮすると、電源監視回路２が駆動され、電源監視回路２が電池１の電圧値を検出する。電源監視回路２は、検出した電圧値をマイコン１０に出力し、マイコン１０は、検出された電圧値が所定の判別レベル以下であれば電池１の電圧が低下しているものとして、警報部２３による警報動作を行う。なお、警報は、音声停止スイッチ８を操作することにより停止させることができる。
【００２８】
（警報部）
警報部２３は、音響鳴動により警報を行う回路であり、スピーカ２５と増幅器２４を備え、スイッチ２２を介して定電圧回路４に接続されている。マイコン１０がスイッチ２２をオンすると警報部２３に電源が供給され、増幅器２４は、マイコン１０の音声データメモリ１４から出力される音声信号を増幅して、スピーカ２５に出力させる。このようにして、警報部２３は音響鳴動による警報を行う。警報を行うときのみスイッチ２２をオンして警報部２３に電源を供給するので、消費電流を低減することができる。
なお、本実施の形態１では、警報部２３は音響鳴動による警報のみを行うが、例えば表示灯などを設け、表示灯による視覚的な警報を行う構成とすることもできる。
【００２９】
（音声停止スイッチ）
音声停止スイッチ８は、警報部２３による警報を停止させるためのスイッチであり、火災警報器１００の筐体のユーザーが操作可能な位置に設けられている。音声停止スイッチ８としては、例えば押しボタン式のスイッチを用いることができる。音声停止スイッチ８の信号はマイコン１０に入力される。
【００３０】
（移報手段）
移報回路２０は、外部機器２００に移報信号を出力する回路であり、マイコン１０により制御される。外部機器２００の例としては、他の部屋に設置された警報ブザーや住宅用受信器などがある。外部機器２００には、例えば消防機関への通報装置などが設けられており、移報信号を受信した外部機器２００は、火災警報が発報されたことを消防機関などに通報できるようにすることができる。なお、本発明の移報制御手段は、本実施の形態１ではマイコン１０に相当する。
【００３１】
（火災検出部）
火災検出部５は、サーミスタ６及び抵抗７からなる熱式の火災検出部である。サーミスタ６及び抵抗７は直列に接続され、これらの両端には定電圧回路４を介して電池１から定電圧が印加されている。また、サーミスタ６の先端部は、火災警報器１００の筐体の表面近傍に設けられている。これにより、火災時の熱をサーミスタ６に伝達しやすくしている。
【００３２】
マイコン１０には、サーミスタ６と抵抗７とによって抵抗比分割した電圧が入力されている。サーミスタ６は温度により抵抗値が変化するため、火災時にサーミスタ６が暖められると、サーミスタ６と抵抗７との間の電圧値が変化する。マイコン１０は、このサーミスタ６と抵抗７との間の電圧値（以下、検出電圧値と称する）を所定周期でサンプリングし、サンプリングした検出電圧値が所定の蓄積時間が経過するまでの間連続して火災レベル（閾値）以上であれば、火災発生を確定する。そして、夜間時間帯であるか否かにより、最初に検出電圧値が火災レベル以上となってから火災発生を確定するまでの蓄積時間が異なる（詳細は後述する）。
【００３３】
なお、サーミスタ６には、ａ）温度上昇により抵抗値が上昇するタイプ、ｂ）温度上昇により抵抗値が下降するタイプの２タイプがあるが、ここでは、ｂ）タイプのものが使用されている。このｂ）タイプのサーミスタ６の検出電圧値が火災レベル（例えば２Ｖ）以上となれば、火災と判断されるようになっている。
【００３４】
このように構成された火災警報器１００は、監視領域である住居等の天井面等に設置され、火災監視を行う。
次に、火災警報器１００の動作を説明する。
図２は、火災警報器１００のメイン動作を示すフローチャートである。まず、図２を参照して火災警報器１００のメイン動作を説明する。なお、初期状態において、夜間時間帯１１ｂは、何も設定がなされていない状態であるものとする。
【００３５】
電池１が装填されて電源が投入されると（Ｓ１）、マイコン１０は記憶部１１内のすべてのフラグをクリアする（Ｓ２）。ここまでの処理が、電源投入時に行う初期処理であり、以降は、ステップＳ３〜ステップＳ６の一連の処理を繰り返し行うこととなる。
【００３６】
続けて、ユーザーが設定部１３に設定した夜間時間帯を読み取り、記憶部１１の夜間時間帯１１ｂに記憶する（Ｓ３）。そして、火災を検出した場合に火災確定するための蓄積回数を設定し（Ｓ４）、火災監視（Ｓ５）、火災出力（Ｓ６）の処理を順次行う。以下、詳細に説明する。
【００３７】
図３は、図２のステップＳ４に示す蓄積回数設定の動作を示すフローチャートである。
マイコン１０は、時計部１２が示す現在時刻が夜間時間帯であるか否かを判断し（Ｓ４１）、夜間時間帯であれば、規定蓄積回数Ｍ＝２として規定蓄積回数Ｍ１１ｃに記憶する（Ｓ４２）。夜間時間帯でなければ、規定蓄積回数Ｍ＝５として規定蓄積回数Ｍ１１ｃに記憶する（Ｓ４３）。
【００３８】
ここで、規定蓄積回数Ｍは、火災検出動作において、火災発生を確定するときの判断基準として用いられる。詳細は後述するが、サンプリングした検出電圧値が、連続して規定蓄積回数Ｍ以上（例えば５回以上）、火災レベル以上の値であれば、火災発生を確定する。したがって、規定蓄積回数Ｍとサンプリング周期とにより、火災発生を確定するまでの蓄積時間が定められる。
本実施の形態１では、図３で示したように、夜間時間帯か否かにより規定蓄積回数Ｍを決定することで火災確定までの蓄積時間を変化させており、昼間時間帯より夜間時間帯の方が蓄積時間が短くなる。
【００３９】
図４は、図２のステップＳ５に示す火災監視処理の動作を示すフローチャートである。
また、図６は、火災監視中の動作を説明する図であり、火災発生を確定するまでの動作を示している。なお、以降の説明において「平常時」とは、検出電圧値が火災レベル以上となっておらず火災が検出されていないときのことを言うものとし、平常時以外を「異常時」と称する。
【００４０】
まず、図４に沿って、適宜図６を参照しつつ火災監視処理動作を説明する。
図４において、マイコン１０は、平常時サンプリング周期でサーミスタの電圧値を取り込む（Ｓ５１）。そして、検出電圧値と火災レベルを比較して火災発生か否かを判断し（Ｓ５２）、火災発生と判断した場合には、その回数を、蓄積回数Ｎとしてカウントする（Ｓ５３）。なお、最初に火災が検出されたとき（図６のサンプリングＴ４、Ｔ１４）には、蓄積回数Ｎをカウントしない。
【００４１】
続けて、蓄積回数Ｎと規定蓄積回数Ｍとを比較する（Ｓ５４）。現在時刻が夜間時間帯であれば規定蓄積回数Ｍは２回、昼間時間帯であれば規定蓄積回数Ｍは５回である（図３のステップＳ４２、Ｓ４３での設定を参照）。そして、蓄積回数Ｎが規定蓄積回数Ｍ未満であれば（Ｓ５４）、異常時用のサンプリング周期でサーミスタの電圧値を取り込む（Ｓ５５）。続けてステップＳ５２へ戻り、蓄積回数Ｎが規定蓄積回数Ｍ以上となるまでステップＳ５２、Ｓ５３、Ｓ５４、Ｓ５５の処理を繰り返す。
【００４２】
蓄積回数Ｎが規定蓄積回数Ｍ以上となると（Ｓ５４）、火災フラグ１１ａをセットして（Ｓ５６）火災を確定し、蓄積回数Ｎをクリアして（Ｓ５８）を終了する。なお、蓄積回数Ｎが規定蓄積回数Ｍに達する前に火災が検出されなくなれば（Ｓ５２のＮｏ）、火災フラグ１１ａをクリアし（Ｓ５７）、蓄積回数Ｎをクリアして（Ｓ５８）処理を終了する。
【００４３】
また、ステップＳ５２で、火災が検出されていないと判断した場合には火災フラグ１１ａをクリア（Ｓ５７）し、蓄積回数Ｎをクリアして（Ｓ５８）処理を終了する。
【００４４】
次に、図４で説明した火災監視動作を、図６に基づいてさらに説明する。
図６（Ａ）は、火災レベルと検出電圧値の関係を示す図であり、Ｐ１のタイミングで検出電圧値が火災レベル以上となったことを示している。
【００４５】
図６（Ｂ）は、昼間時間帯におけるサンプリング動作を示している。
火災警報器１００は、検出電圧値が火災レベル以上となるまでの間は、平常時サンプリング周期（１０秒）でサンプリングＴ１、Ｔ２、Ｔ３、Ｔ４を行う（図４のステップＳ５１参照）。そして、サンプリングＴ４で検出電圧値が火災レベル以上となると、その後は、異常時サンプリング周期（２秒）でサンプリングＴ５〜Ｔ９を行う（図４のステップＳ５５参照）。このとき、サンプリングＴ５〜Ｔ９において検出電圧値が火災レベル以上であるので、蓄積回数Ｎをカウントする。昼間時間帯においては、規定蓄積回数Ｍ＝５であるので、蓄積回数Ｎが規定蓄積回数Ｍ（５回）となったところで火災を確定する（図４のステップＳ５２、Ｓ５３、Ｓ５４、Ｓ５５、Ｓ５６参照）。すなわち、サンプリングＴ４で検出電圧値が火災レベル以上になってから、所定の蓄積時間の間（２秒×蓄積回数５回＝１０秒）、継続して検出電圧値が火災レベル以上であったので、火災を確定している。
【００４６】
次に、夜間時間帯における火災検出動作を説明する。
図６（Ｃ）は、夜間時間帯におけるサンプリング動作を示している。
火災警報器１００は、昼間時間帯と同様に平常時サンプリング周期（１０秒）でサンプリングＴ１１、Ｔ１２、Ｔ１３、Ｔ１４を行う。そして、サンプリングＴ１４で検出電圧値が火災レベル以上となると、その後は、異常時サンプリング周期（２秒）でサンプリングＴ１５、Ｔ１６を行う。そして、サンプリングＴ１５、Ｔ１６において検出電圧値が火災レベル以上であるので、蓄積回数をカウントする。夜間時間帯においては、規定蓄積回数Ｍ＝２であるので、蓄積回数Ｎが規定蓄積回数Ｍ（２回）となったところで火災を確定する。すなわち、サンプリングＴ１４で最初に検出電圧値が火災レベル以上になってから、所定の蓄積時間の間（２秒×蓄積回数２回＝４秒）、継続して検出電圧値が火災レベル以上であったので、火災を確定している。
【００４７】
このように、夜間時間帯においては、検出電圧値が火災レベル以上となってから火災確定と判断するまでの蓄積時間を短く設定している。すなわち、昼間時間帯であればサンプリングＴ９の時点で火災を確定するのに対し、夜間時間帯であればサンプリングＴ１６の時点で火災を確定する。このため、本実施の形態１の例では、最初に検出電圧値が火災レベル以上となってから火災確定までの時間は、夜間時間帯の方が昼間時間帯よりも、最大で６秒短くなる。
【００４８】
図５は、図２のステップＳ６に示す火災出力の動作を示すフローチャートである。
マイコン１０は、火災が発生しているか否かを示す火災フラグ１１ａがセットされているか否か判断し（Ｓ６１）、セットされていなければそのまま処理を終了する。
火災フラグ１１ａがセットされている場合には（Ｓ６１）、火災が発生していることを示す火災音声を出力する（Ｓ６２）。そして、現在時刻が夜間時間帯であるか否かを判断し（Ｓ６３）、夜間時間帯であれば火災移報出力を行う（Ｓ６４）。具体的には、移報回路２０を制御して、外部機器２００に対して火災が発生したことを示す信号を出力する。このようにすることで、夜間などユーザーの火災への対応が遅れがちな時間帯には、火災の発生を自動で通報することができる。
なお、夜間時間帯でなければ（Ｓ６３）、火災移報出力を行わずに処理を終了する。昼間時間帯であれば、ユーザーは火災への対応が比較的行いやすいので、外部機器２００へ通報する場合にはユーザー自身が判断して通報を行うことができるようにしている。
【００４９】
このように、火災警報器１００は、図２に示したステップＳ３〜ステップＳ６の処理を繰り返すことにより、火災監視を行い、火災が検出された場合には火災音声による警報等を行う。また、夜間時間帯には、火災の発生を確定するまでの蓄積時間が昼間時間帯よりも短くなるように設定することにより、昼間時間帯よりも早期に火災警報を行うようにしている。
【００５０】
以上のように本実施の形態１に係る火災警報器１００によれば、夜間時間帯であれば、火災が検出されてから火災を確定するまでのサンプリングの蓄積回数を少なくすることにより、火災検出から火災確定までの蓄積時間を短く設定した。このため、火災検出をより早く行うことができ、ユーザーの対応が遅れがちな夜間であっても迅速な避難行動を促すことができる。
【００５１】
また、検出電圧値が火災レベル以上となった後は、平常時サンプリング周期（１０秒）よりも短い周期（２秒）で検出電圧値のサンプリングを行うようにした。このため、火災か否かの判別を精度よく行うことができる。
【００５２】
また、夜間時間帯をユーザーが設定可能な設定部１３を設けた。このため、ユーザーの生活スタイルに合わせて夜間時間帯（早期異常検出時間帯）を設定することができる。
【００５３】
また、夜間時間帯に火災発生を検出した場合には、自動的に外部機器２００に移報出力を行うようにした。このため、外部機器２００に例えば消防機関への通報装置を接続すれば、夜間時間帯に火災警報が発報された場合には消防機関へ自動的に通報することができる。また、昼間時間帯であれば、火災警報を発報した場合でも外部機器２００への移報出力を自動では行わないようにしている。このため、ユーザーは移報出力するか否かを自ら判断することができる。
【００５４】
実施の形態２．
前述の実施の形態１では、火災を検出するまでの平常時サンプリング周期が、昼間時間帯と夜間時間帯とで同じ場合を例に説明した。本実施の形態２では、夜間時間帯においては平常時のサンプリング周期を昼間時間帯よりも短くする場合の例について説明する。
なお、前述の実施の形態１と同様又は対応する構成要素には同一の符号を付し、実施の形態１と異なる点を中心に説明する。
【００５５】
まず、実施の形態２に係る火災警報器１００Ａの動作を説明する。
図７は、火災警報器１００Ａのメイン動作を示すフローチャートであり、前述の図２とほぼ同様であるが、ステップＳ４Ａのみ異なる。ステップＳ４Ａでは、平常時用サンプリング周期の設定を行う。
【００５６】
図８は、図７のステップＳ４Ａに示す平常時用サンプリング周期設定の動作を示すフローチャートである。
マイコン１０は、現在時刻が夜間時間帯であるか否か判断し（Ｓ４１Ａ）、夜間時間帯であれば、平常時用サンプリング周期を５秒に設定して（Ｓ４２Ａ）、処理を終了する。また、現在時刻が夜間時間帯でなければ、平常時用サンプリング周期を１０秒に設定して（Ｓ４３Ａ）、処理を終了する。
すなわち、夜間時間帯では、検出電圧値のサンプリングを、昼間時間帯よりも短い周期で行うこととなる。
【００５７】
そして、火災警報器１００Ａは、図７に示したステップＳ３、Ｓ４Ａ、Ｓ５、Ｓ６の処理を繰り返すことにより、火災監視を行い、火災が検出された場合には火災音声による警報等を行う。
【００５８】
図９は、本実施の形態２に係る火災警報器１００Ａの火災監視中の動作を説明する図であり、火災発生を確定するまでの動作を示している。
図９（Ｂ）に示すように、昼間時間帯の火災検出動作は前述の実施の形態１で述べたのと同様である。
【００５９】
図９（Ｃ）は、夜間時間帯におけるサンプリング動作を示している。夜間時間帯においては、５秒に設定された平常時用サンプリング周期で検出電圧値のサンプリングを行う。そして、サンプリングＴ２６において検出電圧値が火災レベル以上となると、その後は、異常時サンプリング周期である２秒ごとにサンプリングＴ２７〜Ｔ３１を行う。そして、サンプリングＴ２７〜Ｔ３１において検出電圧値が火災レベル以上であるので蓄積回数Ｎをカウントし、蓄積回数Ｎが規定蓄積回数Ｍ（５回）となったところで火災を確定する。
【００６０】
このように、夜間時間帯においては、平常時のサンプリング周期を、昼間時間帯における平常時のサンプリング周期よりも短くした。このため、本実施の形態２の例では、夜間時間帯において火災発生を確定するまでの時間は、昼間時間帯よりも最大で５秒早くなる。
【００６１】
以上のように本実施の形態２に係る火災警報器１００Ａによれば、夜間時間帯には、平常時のサンプリング周期を昼間時間帯よりも短く設定した。このため、火災検出をより早く行うことができ、ユーザーの対応が遅れがちな夜間であっても迅速な避難行動を促すことができる。
【００６２】
また、火災を最初に検出した後は、平常時サンプリング周期（１０秒）よりも短い周期（２秒）で検出電圧値のサンプリングを行うようにした。このため、火災か否かの判別を精度よく行うことができる。
【００６３】
なお、上記説明におけるサンプリング周期や蓄積回数（蓄積時間）の値は一例であり、これらの値は、警報器の設置環境や検出対象等に応じて任意に定めることができる。
また、上記説明の火災監視中における異常時サンプリングでは、規定蓄積回数Ｍ以上、連続して検出電圧値が火災レベルを超えたときに火災発生を確定するものとして説明したが、必ずしも厳密に連続である必要はない。例えば、異常時サンプリングにおいて、検出電圧値が、「火災レベル以上、火災レベル以上、火災レベル以上、火災レベル未満、火災レベル以上、・・・」のように検出されたとする。この場合、「火災レベル未満」となったときに蓄積回数Ｎをクリアして蓄積回数Ｎをカウントし直すのではなく、「火災レベル未満」の回数が所定回数（例えば１回）以下であれば、その前後で蓄積回数Ｎを累積カウントすることもできる。すなわち、所定条件下においては、不連続であっても連続的に検出電圧値が火災レベルを超えたものとして、火災発生を確定することができる。このようにしても、火災か否かの判別を精度よく行うことができるとともに、火災検出をより早く行うことができる。
【００６４】
また、上記実施の形態１及び実施の形態２は、適宜組み合わせて実施することができる。
また、上記説明では、異常検出部として火災検出部を例に説明したが、ガス漏れなどその他の監視領域の異常を検出するものであってもよい。また、火災検出部として、サーミスタ６による熱検出を例に説明したが、煙検出部などその他の火災検出部を用いてもよい。
【符号の説明】
【００６５】
１  電池、２  電源監視回路、３  スイッチ、４  定電圧回路、５  火災検出部、６  サーミスタ、７  抵抗、８  音声停止スイッチ、１０  マイコン、１１  記憶部、１１ａ  火災フラグ、１１ｂ  夜間時間帯、１１ｃ  規定蓄積回数Ｍ、１２  時計部、１３  設定部、１４  音声データメモリ、２０  移報回路、２２  スイッチ、２３  警報部、２４  増幅器、２５  スピーカ、１００、１００Ａ  火災警報器、２００  外部機器。
【図１】
2010224854.tif 000003
【図２】
2010224854.tif 000004
【図３】
2010224854.tif 000005
【図４】
2010224854.tif 000006
【図５】
2010224854.tif 000007
【図６】
2010224854.tif 000008
【図７】
2010224854.tif 000009
【図８】
2010224854.tif 000010
【図９】
2010224854.tif 000011